(57)【要約】【課題】視聴中に降雨や他の理由での受信障害が発生した場合でも視聴継続を可能にする。【解決手段】デジタル放送受信装置において、不揮発メモリ部にチャンネルグループ化情報を記憶しておくことにより、視聴中のチャンネルに降雨や他の理由での受信障害が発生した場合に、この情報を参照し、視聴中チャンネルに対する代替チャンネルを抽出し、自動的にチャンネルを切り替えることができるようになるので、視聴を継続することができる。【選択図】図１
2006211189.tif 000002
【特許請求の範囲】
【請求項１】
現在受信中のチャンネルに受信障害が発生した場合、別のチャンネルに自動的に選局を変更することを特徴とするデジタル放送受信装置。
【請求項２】
受信障害を検知する検知手段と、変更先のチャンネルを記憶する記憶部と、受信障害の検知に伴い、現在選局中のチャンネルを記憶部に記憶した変更先のチャンネルに変更する制御部を備えたデジタル放送受信装置。
【請求項３】
前記記憶部は、各チャンネル毎に変更先のチャンネルをあらかじめ設定可能となっていることを特徴とする請求項２に記載のデジタル放送受信装置。
【請求項４】
前記記憶部は、各チャンネル毎に変更先のチャンネルをあらかじめ複数設定可能となっており、複数設定された変更先チャンネル間で優先順位を設定できることを特徴とする請求項２に記載のデジタル放送受信装置。
【発明の詳細な説明】
【技術分野】
【０００１】
本発明はデジタル衛星放送、デジタルＣＡＴＶ（ケーブル・テレビジョン）等でのチャンネル選局動作に関わるものである。
【背景技術】
【０００２】
降雨や他の理由での受信障害時の受像を保証する技術として、ＢＳデジタル放送などで実施されている階層伝送放送がある。
【０００３】
この技術は、高い受信Ｃ／Ｎを要するが、高い情報ビットレートを伝送できる伝送方式と、低Ｃ／Ｎでも受信できるが、少ない情報ビットレートしか伝送できない伝送方式とを組み合わせて送信するものである。前者で例えば高解像度の映像信号といった高品質のサービス（以下、ＨＱと呼ぶ）を、後者で例えば低解像度の映像信号、音声信号、データサービス信号といった必要最小限の品質のサービス（以下、ＬＱと呼ぶ）を伝送し、受信装置においては、受信Ｃ／Ｎが高い場合にはＨＱとＬＱを両方復調・復号し、高品質のサービスを受信するが、受信Ｃ／Ｎが低い場合にはＬＱのみを復調・復号し、最小限の品質のサービスのみを受信する。これにより、降雨減衰等により受信電界強度が一定値より減衰した場合でもサービスがまったく受信できなくなる確率は小さくすることができる（例えば、特許文献１を参照）。
【特許文献１】特開平９−３２１８１３号公報
【発明の開示】
【発明が解決しようとする課題】
【０００４】
しかしながら、前記従来の受像保証技術を用いても、降雨等の影響で完全に放送信号が届かない状態ではテレビ放送を視聴することはできない。
【課題を解決するための手段】
【０００５】
本発明は、前記課題を解決するために、視聴中のチャンネルで受信障害が発生した場合、自動的に代替チャンネルへ切り替えて視聴継続を可能にすることを目的としている。
【０００６】
具体的には、本発明にかかるデジタル放送受信装置は、受信障害を検知する検知手段と、変更先のチャンネルを記憶する記憶部と、受信障害の検知に伴い、現在選局中のチャンネルを記憶部に記憶した変更先のチャンネルに変更する制御部を備えたことを特徴としている。これにより、受信障害が発生した場合でも自動的に代替チャンネルへ切り替えて視聴継続を可能にすることができる。
【０００７】
変更先のチャンネルは、各チャンネル毎にあらかじめ設定可能としてもよい。この場合、同一番組を放映するチャンネル（同一系列の放送局から送信されるチャンネルなど）をあらかじめ設定しておくことで、受信障害が発生した場合でも同一放送を継続して視聴することができる。
【０００８】
また、変更先のチャンネルを複数、優先順位とともに設定しておくことも可能である。これにより、受信障害発生時の変更先チャンネルにおいても受信障害が発生している場合、さらに他のチャンネルに自動的にチャンネルを変更し、視聴を継続することが可能となる。
【発明の効果】
【０００９】
本発明のデジタル放送受信装置によれば、あるチャンネルが受信障害により視聴不可になっても、代替登録されているチャンネルへ自動的に切り替えて継続視聴することができる。
【００１０】
アナログ放送とデジタル放送の併存、放送のデジタル化やネットワーク配信の開始等による多チャンネル化に伴って、複数のチャンネルや放送方式で同じ時間に同じ番組を放送する、いわゆるサイマル放送が行われるようになっている。視聴中のチャンネルに降雨やネットワークの切断等、何らかの原因による受信障害が発生した場合でも、このような同一番組を放送する別チャンネルに自動的に切り換えることができれば、視聴者に不快感を与えることを回避できる。
【発明を実施するための最良の形態】
【００１１】
以下本発明を実施するための最良の形態について、図面を参照しながら説明する。
【００１２】
（実施の形態１）
図１は、本発明の実施の形態１におけるデジタル放送受信装置のブロック図である。
【００１３】
図２は、本発明の実施の形態１における不揮発メモリ部に記録された、チャンネルグループ化情報を模式的に表した模式図である。
【００１４】
以下、図１及び図２を参照しながら説明する。
【００１５】
入力端子１０１は、図示しないアンテナ部やＣＡＴＶ回線網、ネットワークなどに接続されており、放送局からの放送信号を受信する。チューナ部１０２は視聴者の指示に従って周波数を選局し、ＴＳ復号部１０３は選曲された放送信号を復調してトランスポートストリームを復号し、ＰＥＳ信号を出力する。ＡＶ復号部１０４は復号されたトランスポートストリームから映像ＰＥＳ信号と音声ＰＥＳ信号を復号し、映像信号と音声信号を外部モニター装置へ、ＡＶ出力端子１０７を通して出力する。
【００１６】
制御部１０５はチューナ部１０２、ＴＳ復号部１０３、ＡＶ復号部１０４の制御を統括しており、不揮発メモリ部１０６は制御部１０５の制御手順情報を記憶している。
【００１７】
視聴者が図示しないリモコン等インタフェイスを用いてチャンネル選局を行うと、該インタフェイスからチャンネル選局の情報を受け取った制御部１０５は不揮発メモリ部１０６の制御手順情報を参照してチューナ部１０２に対して特定の周波数帯域を選局するよう指示を与える。また、視聴中に受信障害が発生した場合、制御部１０５は、チューナ部１０２またはＴＳ復号部１０３、ＡＶ復号部１０４から受信障害の通知を受けとる（下記参照）とともに、不揮発メモリ部１０６に記憶されている制御手順情報を参照してチューナ部１０２に対して選局を切り替えるように制御を行う。
【００１８】
図２は、不揮発メモリ部１０６が記憶している制御手順情報の一例を示した模式図である。
【００１９】
図２では、視聴可能なチャンネルとその代替チャンネルがグループとして関連付けて記憶されている。代替チャンネルは複数個設定可能であり、優先度の高い順に記憶されている。このチャンネルグループ化情報は、ユーザによりあらかじめリモコン等の入力装置を用いて設定することができるようになっている。
【００２０】
図２を用いて受信障害発生時のチャンネル切り替え動作について説明する。
【００２１】
たとえばネットワークＡの１０１ｃｈを視聴中にそのチャンネルに受信障害が発生した場合、制御部１０５は、チューナ部１０２またはＴＳ復号部１０３、ＡＶ復号部１０４から受信障害の通知を受けとる。ここで、受信障害はチューナ部１０２、ＴＳ復号部１０３、ＡＶ復号部１０４において検知し、制御部１０５へ通知されるものとする。
【００２２】
受信障害の通知を受け取った制御部１０５は、不揮発メモリ１０６からチャンネルグループ化情報を取り出し、ネットワークＡの１０１ｃｈの代替チャンネルとして登録されているチャンネルのなかで優先度の高いネットワークＢの１０１ｃｈを抽出、当該チャンネルを選局するようチューナ部１０２に指示する。ネットワークＢの１０１ｃｈでも受信障害が発生した場合は、チャンネルグループ化情報にしたがって次の優先度のネットワークＣの２１０ｃｈを選局する。
【００２３】
以上の動作により、視聴中のチャンネルが受信障害等により視聴不可になっても代替登録されているチャンネルへ自動的に切り替えて継続視聴することができる。
【００２４】
さらに、多チャンネル化に伴いサイマル放送が行われている状態では、受信障害時に同一番組を放送する別チャンネルに自動的に切り換えることで同一番組の継続視聴が可能になる。
【００２５】
なお、図２では他のネットワーク配信中のチャンネルを代替チャンネルとして設定する場合を例示して説明したが、本発明はネットワーク経由で受信するＴＶ放送官での代替に限定されるものではない。例えば、同一放送局が同一放送内容を地上波アナログ放送、地上波デジタル放送、衛星放送、ＣＡＴＶ等でもサイマル放送しているような場合、これらのチャンネルを代替チャンネルとして設定することも可能である。これにより、ネットワーク全体が断線した場合でも他の放送形態による同一番組の継続視聴が可能となる。
【００２６】
また、本実施の形態では、図２において、複数の代替チャンネルを設定する例を用いて説明したが、各視聴チャンネルについて１つずつの代替チャンネルを設定してもよいし、複数の視聴チャンネルに対して同じ代替チャンネルを設定するようにしてもよい。例えば、視聴中のチャンネルが受信障害を起こした場合、視聴中のチャンネルがネットワーク経由の番組または衛星経由の番組等、いずれの場合であっても、ＣＡＴＶのニュース番組に切り替わるようにすることが可能である。
【産業上の利用可能性】
【００２７】
本発明にかかるデジタル放送受信装置は、視聴中のチャンネルが受信不可となった場合でも番組の継続視聴を可能足らしめる技術であって、デジタル衛星放送、デジタルＣＡＴＶ（ケーブル・テレビジョン）等でのチャンネル選局動作の機能向上に資するものとして有用である。
【図面の簡単な説明】
【００２８】
【図１】本発明の実施の形態１におけるデジタル受信装置の構成を示した図
【図２】本発明の実施の形態１におけるチャンネルグループ化情報を示した図
【符号の説明】
【００２９】
１００    デジタル受信装置
１０１    入力端子
１０２    チューナ部
１０３    ＴＳ復号部
１０４    ＡＶ復号部
１０５    制御部
１０６    不揮発性メモリ部
１０７    ＡＶ出力端子
【図１】
2006211189.tif 000003
【図２】
2006211189.tif 000004